(57)【要約】【課題】各種商品情報をインターネット上で公開している店舗では、自店の商品情報がどのホットスポットやインターネットカフェを介して閲覧されたのかを解析することが容易ではなかった。ホットスポットやインターネットカフェの利用者が、どの程度、自店の商品を閲覧しているかの情報は、マーケティング情報として貴重なものとなり、確実な閲覧記録の取得方法が求められていた。【解決手段】インターネット環境を提供している店舗１と、店舗１の識別ＩＤを対応づけた対応表を持つ情報処理装置を用意する。前記情報処理装置は、ユニークで固定の識別ＩＤを店舗１に対して発行する。店舗１の利用者が、店舗１のネットワークを介して、インターネット上に公開されている店舗２の商品情報を閲覧した場合に、店舗２が、アクセス元である店舗１のデータを、前記情報処理装置から入手できる。【選択図】  図２
2004240919.tif 000002
【特許請求の範囲】
【請求項１】
ネットワークへの接続環境を利用者に提供する第一の店舗用の第一の情報処理装置と、商品あるいはサービスを利用者に提供する第二の店舗用の第二の情報処理装置と、ネットワークを介して第一の情報処理装置および第二の情報処理装置とデータ通信可能に接続された第三の情報処理装置から構成される閲覧店舗管理システムにおける閲覧店舗管理方法であって、
第三の情報処理装置は、
第一の店舗を識別する識別ＩＤと、前記第一の店舗に関する情報とを対応づけて記憶し、
第一の情報処理装置は、
第一の店舗内の端末が、ネットワークを介して、第二の店舗が提供する商品あるいはサービスの情報を閲覧する際に、第一の店舗に割り当てられた識別ＩＤを、第二の情報処理装置に通知し、
第二の情報処理装置は、
第一の情報処理装置から通知された識別ＩＤにより、第三の情報処理装置から、第一の店舗の情報を取得することを特徴とする閲覧店舗管理方法。
【請求項２】
ネットワークへの接続環境を利用者に提供する第一の店舗用の第一の情報処理装置と、商品あるいはサービスを利用者に提供する第二の店舗用の第二の情報処理装置と、ネットワークを介して第一の情報処理装置および第二の情報処理装置とデータ通信可能に接続された第三の情報処理装置から構成される閲覧店舗管理システムであって、
第三の情報処理装置は、
第一の店舗を識別する識別ＩＤと、前記第一の店舗に関する情報とを対応づけて記憶する手段と、
第一の情報処理装置は、
第一の店舗内の端末が、ネットワークを介して、第二の店舗が提供する商品あるいはサービスの情報を閲覧する際に、第一の店舗に割り当てられた識別ＩＤを、第二の情報処理装置に通知する手段と、
第二の情報処理装置は、
第一の情報処理装置から通知された識別ＩＤにより、第三の情報処理装置から、第一の店舗の情報を取得する手段から構成される閲覧店舗管理システム。
【請求項３】
ネットワークへの接続環境を利用者に提供する第一の店舗用の第一の情報処理装置と、商品あるいはサービスを利用者に提供する第二の店舗用の第二の情報処理装置と、ネットワークを介して第一の情報処理装置および第二の情報処理装置とデータ通信可能に接続された第三の情報処理装置から構成される閲覧店舗管理システムに用いられる第三の情報処理装置は、
第一の店舗を識別する識別ＩＤと、前記第一の店舗に関する情報とを対応づけて記憶する手段を持つことを特徴とする情報処理装置。
【請求項４】
請求項３に記載の情報処理装置において、
第一の店舗の店舗情報は、少なくとも、第一の店舗の所在地情報を含むことを特徴とする情報処理装置。
【請求項５】
請求項３に記載の情報処理装置において、
第一の店舗の店舗情報は、少なくとも、第一の店舗の所在地情報と、店舗業種情報を含むことを特徴とする情報処理装置。
【請求項６】
ネットワークへの接続環境を利用者に提供する第一の店舗用の第一の情報処理装置と、商品あるいはサービスを利用者に提供する第二の店舗用の第二の情報処理装置と、ネットワークを介して第一の情報処理装置および第二の情報処理装置とデータ通信可能に接続された第三の情報処理装置から構成される閲覧店舗管理システムに用いられる第二の情報処理装置は、
第一の店舗を識別する識別ＩＤを利用して、第三の情報処理装置から第一の店舗情報を獲得する手段と、
第一の店舗ごとに付与するインセンティブの大きさを算出する手段を備える情報処理装置。
【請求項７】
ネットワークへの接続環境を利用者に提供する第一の店舗用の第一のコンピュータと、商品あるいはサービスを利用者に提供する第二の店舗用の第二のコンピュータと、ネットワークを介して第一のコンピュータおよび第二のコンピュータとデータ通信可能に接続された第三のコンピュータから構成される閲覧店舗管理システムであって、
第三のコンピュータを、
第一の店舗を識別する識別ＩＤと、前記第一の店舗に関する情報とを対応づけて記憶する手段として機能させることを特徴とした閲覧店舗管理プログラム。
【請求項８】
ネットワークへの接続環境を利用者に提供する第一の店舗用の第一のコンピュータと、商品あるいはサービスを利用者に提供する第二の店舗用の第二のコンピュータと、ネットワークを介して第一のコンピュータおよび第二のコンピュータとデータ通信可能に接続された第三のコンピュータから構成される閲覧店舗管理システムであって、
第一のコンピュータを、
第一の店舗内の端末が、ネットワークを介して、第二の店舗が提供する商品あるいはサービスの情報を閲覧する際に、第一の店舗に割り当てられた識別ＩＤを、第二のコンピュータに通知する手段として機能させることを特徴とした閲覧店舗管理プログラム。
【請求項９】
ネットワークへの接続環境を利用者に提供する第一の店舗用の第一のコンピュータと、商品あるいはサービスを利用者に提供する第二の店舗用の第二のコンピュータと、ネットワークを介して第一のコンピュータおよび第二のコンピュータとデータ通信可能に接続された第三のコンピュータから構成される閲覧店舗管理システムであって、
第二のコンピュータを、
第一のコンピュータから通知された識別ＩＤにより、第三のコンピュータから、第一の店舗の情報を取得する手段として機能させることを特徴とした閲覧店舗管理プログラム。
【発明の詳細な説明】
【０００１】
【発明の属する技術分野】
本発明は、利用者が、ホットスポットやインターネットカフェのようなインターネット環境提供店舗を介して、インターネット上に公開された商品情報をアクセスした際に、前記商品情報の提供元が、前記インターネット環境提供店舗の情報を容易に取得できる方法に関するものである。
【０００２】
【従来の技術】
近年におけるインターネットの普及に伴い、各種商品の情報をインターネット上に公開する店舗が増えてきている。商品情報を公開する店舗は、公開した商品情報の閲覧記録を使って、商品情報公開方法の改善や、顧客ニーズの吸収、商品の宣伝などに利用することがあった。
【０００３】
ホームページを公開する店舗内、あるいは、店舗がホームページ公開を目的として契約を実施しているインターネットプロバイダ内には、ウェブサーバが用意されている。ウェブサーバ内には、当該サーバが公開している各ページが、いつ、どのＩＰアドレスから、どのようなブラウザでアクセスしたかなどという情報が、通常、アクセスログとして記録されている。
【０００４】
このアクセスログを利用して、どのページが、いつ、どのＩＰアドレスを持つ端末から、閲覧されたかなどを自動的に解析する仕組みも公知である。
【０００５】
下の特許文献１では、各種商品が掲載された複数のページのアドレスと、そのページに記載された商品情報の名称を対応づけた対応表を、店舗のウェブサーバ内に持ち、それぞれのページごとにアクセスログを分け、それぞれの商品が掲載されたページがどの程度、閲覧されたかを分析して、ウェブサーバ管理者などに提示することを特徴としている。
【０００６】
また、下記特許文献２では、ウェブサーバ内のアクセスログを利用して、特定の閲覧者が、どのようなページを推移していくかを、自動的に解析することを特徴としている。
【０００７】
また、下記特許文献３では、ホームページ閲覧者のＩＰアドレスごとに識別子を発行して、識別子とＩＰアドレスの対応を、店舗のウェブサーバ内で管理し、特定の識別子を持つ閲覧者ごとのアクセス履歴を収集することを特徴としている。
【０００８】
【特許文献１】
特開２００１−３０６９４７号  「アクセス分析システム、アクセス分析方法および記録媒体」
【０００９】
【特許文献２】
特開２００２−１７５２４０号「ウェブサイト評価システム、ウェブサイト評価方法、及び記録媒体」
【００１０】
【特許文献３】
特開２００２−３２９２４１号「情報収集システム及び情報収集方法」
【００１１】
【発明が解決しようとする課題】
近年、高速インターネット環境を、外出先で気軽に利用できるホットスポットやインターネットカフェと呼ばれる場が増えてきている。このようなインターネット環境を提供する場は、空港や、人の集まる駅周辺などに存在することが多くなっている。
【００１２】
また、ホットスポットやインターネットカフェを、利用する利用者には、いくつかの特徴が見受けられる。たとえば、ホットスポットはファーストフード店やファミリーレストラン店に提供されることが多いが、ファーストフード店の利用者の特徴としては、年齢が若い世代が比較的多いということ、ファミリーレストランの利用者の特徴としては、子供を持つ家族連れが比較的多いということである。
【００１３】
このため、各種商品情報をインターネット上で公開する店舗は、どのホットスポットや、どのインターネットカフェから、自店の商品情報に、どの程度のアクセスがあったかを知ることで、その情報をマーケティングとして活用することが考えられている。
【００１４】
従来技術のように、ホームページを公開する店舗のウェブサーバ内にて、ホットスポットあるいはインターネットカフェなどのインターネット利用環境提供場所の名称と、そのＩＰアドレスを対応づけた対応表を備えることで、どのインターネット利用環境提供場所から、当該店舗のホームページにアクセスがあったか把握することが考えられる。
【００１５】
しかしながら、ネットワーク環境をホットスポットなどに提供する業者の運用上、ＩＰアドレスを有効活用することや、アドレス割り振りの管理を効率化するために、あるＩＰアドレスを、日時によって、場所の異なるホットスポットに割り振ることもあり、ＩＰアドレスとインターネット利用環境提供場所とを、常に正確に対応づけることは困難であった。
【００１６】
そのため、商品を取り扱う店舗が、それぞれのインターネット利用環境提供場所に対して、固有の識別ＩＤを割り振る方法が考えられる。この方法では、インターネット利用環境提供場所の利用者が、インターネット利用環境提供場所のネットワークを介して、商品を取り扱う店舗のホームページを閲覧する際に、識別ＩＤも該当店舗に送付する。
【００１７】
一方で、商品を取り扱う店舗側は、ホットスポットと識別ＩＤの対応表を備え、ターネット利用環境提供場所から送付された識別ＩＤと対応表を照合することで、どのインターネット利用環境提供場所のネットワークを介してアクセスがあったかを判断できる仕組みである。
【００１８】
しかし、複数の商品取り扱い店舗が、この方法を採用すると、インターネット利用環境提供場所側は、利用者が閲覧しようとしたホームページのＵＲＬに依存して、店舗側に送付する識別ＩＤを変えねばならないという問題があった。
【００１９】
本発明は、インターネット利用環境を提供する場所の情報と、識別ＩＤとの対応表を格納しておくための情報処理装置をさらに設ける。前記情報処理装置は、ユニークな識別ＩＤを、インターネット利用環境を提供する場所に対して発行することで、上記問題を解決することを目的としている。
【００２０】
【課題を解決するための手段】
本発明は、インターネット利用環境を提供する場所の情報と、識別ＩＤを対応づけて、ネットワーク上の情報処理装置内に備える仕組みを用いる。また、前記情報処理装置は、ユニークで固定の識別ＩＤを、インターネット利用環境を提供する場所に対して発行する。
【００２１】
その上で、前記情報処理装置に登録されたデータを、インターネット上のホームページで各種商品を公開する商品取り扱い店舗が取得できることで、商品取り扱い店舗は、インターネット利用環境を提供するどの店舗から、アクセスがあったのかを容易に把握できる。そして、そのアクセス情報を、インターネット利用環境提供店舗に対するインセンティブ付与に利用したり、商品の販売戦略に利用することができる。
【００２２】
すなわち、本発明は、利用者にネットワークへの接続環境を提供する第一の店舗に備えられた第一の情報処理装置と、利用者に商品あるいはサービスを提供する第二の店舗に備えられた第二の情報処理装置と、ネットワークを介して第一の情報処理装置および第二の情報処理装置とデータ通信可能に接続された第三の情報処理装置から構成される閲覧店舗管理システムにおける閲覧店舗管理方法であって、
第三の情報処理装置は、第一の情報処理装置から、第一の情報処理装置を備えた第一の店舗に関する情報の登録要求を受け付けて、第一の店舗を識別する識別ＩＤを、第一の情報処理装置に通知し、前記第一の店舗に関する情報と当該識別ＩＤとを対応づけて記憶部に記録し、第二の情報処理装置からの、第一の店舗を示す識別ＩＤをキーとした、第一の店舗に関する情報の取得要求を受け付けると、記憶部に記録されている第一の店舗に関する情報を、当該第二の情報処理装置に通知し、
第一の情報処理装置は、第三の情報処理装置に対し、第一の情報処理装置を備える第一の店舗の識別ＩＤの発行を要求し、第三の情報処理装置から発行された、前記第一の店舗に対応づけられた識別ＩＤを保存し、利用者端末が、第一の情報処理装置を備えた第一の店舗のネットワークを介して、第二の情報処理装置を備えた第二の店舗が提供する商品あるいはサービスの情報を閲覧する際に、前記識別ＩＤと、商品あるいはサービスの閲覧要求とを、第二の情報処理装置に通知し、
第二の情報処理装置は、第一の情報処理装置から、商品あるいはサービスの閲覧要求と、前記第一の店を識別する識別ＩＤとを受け取ると、前記閲覧要求に相当する情報を、第一の情報処理装置に送出し、当該識別ＩＤを利用して、第一の情報処理装置を備えた第一の店舗の情報を、第三の情報処理装置から取得することを特徴とする閲覧店舗管理方法である。
【００２３】
【発明の実施の形態】
本発明の基本的な形態を、図面を参照して説明する。
【００２４】
図１は本発明の基本的な構成を示したもので、ホットスポットやインターネットカフェなどの複数の情報閲覧店舗２１と、カメラや洋服などの商品を販売する商品取り扱い店舗のサーバ２３と、情報閲覧店舗２１のデータを格納する情報仲介装置２４がインターネット２０を共有している。
【００２５】
情報閲覧店舗２１は、ホットスポットやインターネットカフェに代表されるもので、来店した顧客に対し、インターネット接続環境をサービスとして提供している店舗である。この情報閲覧店舗２１は、請求の範囲における第一の店舗に相当し、同じく第一の情報処理装置、あるいは、第一のコンピュータとに相当する商品情報閲覧装置を備える。
【００２６】
また、商品取り扱い店舗２３は、請求の範囲の第二の店舗に相当し、インターネット上にて商品情報を公開している店舗であり、請求の範囲における第二の情報処理装置、あるいは、第二のコンピュータとに相当する閲覧対応装置を備える。
【００２７】
閲覧対応装置は、ＷＥＢサーバ機能も備え、ＨＴＴＰプロトコルにて、閲覧要求のあった情報を、要求元に返送する機能も持ち合わせる。
【００２８】
また、情報仲介装置２４は、情報閲覧店舗２１の所在地情報や店舗名などのデータを格納する手段と、データ取得要求があった店舗にデータを送信する手段を持つ情報装置であり、請求の範囲における第三の情報装置、あるいは、第三のコンピュータとに相当する。
【００２９】
＜第一の実施形態＞
図２は本発明の第一の実施形態の全体構成を示すものである。第一の実施形態では、商品取り扱い店舗２３が、情報閲覧店舗２１の情報を取得した見返りとして、インセンティブを情報閲覧店舗２１に支払う形態を記載している。
【００３０】
インターネット２０を、情報閲覧店舗２１と、商品取り扱い店舗２３と、情報仲介装置２４とで共有している形態にて、利用者２５が利用者端末２２を使い、情報閲覧店舗２１を介して、商品取り扱い店舗２３の商品情報を閲覧できる。
【００３１】
第一の実施形態に含まれる装置の構成と、第一の実施形態の処理の流れを、図面を参照して説明する。
【００３２】
図３は、情報仲介装置２４の構成を示すものである。情報仲介装置２４は、インターネット２０を介して、情報閲覧店舗２１と、商品取り扱い店舗２３とのデータ送受信が可能となっている。
【００３３】
また、情報仲介装置２４は、情報閲覧店舗データ登録手段３１と、情報閲覧店舗データベース３２と、商品取り扱い店舗データ登録手段３３と、店舗データ送付手段３４と、商品取り扱いデータベース３５にて構成されている。
【００３４】
情報閲覧店舗データ登録手段３１は、データ登録要求のあった情報閲覧店舗２１のデータを情報閲覧店舗データベース３２に登録するとともに、情報閲覧店舗２１に識別ＩＤを発行する働きを持つ。
【００３５】
商品取り扱い店舗データ登録手段３３は、データ登録要求のあった商品取り扱い店舗２３のデータを商品取り扱い店舗データベース３５に登録するとともに、商品取り扱い２３に識別ＩＤを発行する働きを持つ。
【００３６】
店舗データ送付手段３４は、商品取り扱い店舗２３から、情報閲覧店舗２１のデータの取得要求を受けた際に、該当する情報閲覧店舗データを情報閲覧店舗データベース３２から取得し、商品取り扱い店舗２３に送付する働きを持つ。
【００３７】
次に、情報仲介装置２４における処理の流れを説明する。図４は、情報仲介装置２４内の情報閲覧店舗データ登録手段３１の処理の流れを示したフロー図である。
【００３８】
図４のステップＳ４０１は、情報閲覧店舗２１からの登録要求を、情報閲覧店舗データ登録手段３１が受信するステップである。
【００３９】
ステップＳ４０２は、情報閲覧店舗データ登録手段３１が、登録受付ページ情報を情報閲覧店舗２１に送信するステップである。これにより、情報閲覧店舗２１の端末にて、図５に一例を示すような登録受付ページが表示される。
【００４０】
ステップＳ４０３は、情報閲覧店舗２１の端末から返送されてくる、受付ページ内の必要事項を、情報閲覧店舗データ登録手段３１が受け取り、入力データが適切なものか判断するステップである。入力データが適切なものであれば、ステップＳ４０５に移る。
【００４１】
ステップＳ４０５は、情報閲覧店舗データ登録手段３１が、情報閲覧店舗ごとのユニークな識別ＩＤを発行するステップである。
【００４２】
ステップＳ４０６は、情報閲覧店舗データ登録手段３１が、受信した情報閲覧店舗データを情報閲覧店舗データベース３２に格納するステップである。
【００４３】
次のステップＳ４０７は、情報閲覧店舗データ登録手段３１が、ステップＳ４０５で作成した識別ＩＤを情報閲覧店舗２１に通知するステップである。
【００４４】
ステップＳ４０８は、情報閲覧店舗データ登録手段３１が、情報閲覧店舗２１への識別ＩＤ通知が正常に終了したかどうか判断するステップである。通知が正常に終了すれば、次のステップＳ４０９に移る。
【００４５】
ステップＳ４０９は、情報閲覧店舗データ登録手段３１が、登録受付終了を示すページ情報を情報閲覧店舗２１に送信し、登録処理を終了するステップである。
【００４６】
情報閲覧店舗データベース３２は、フィールドとして、識別ＩＤと、登録日時と、店舗名と、店舗住所と、インセンティブ受け取り手段を持つものとなる。情報閲覧店舗名が、○○ファーストフード、△△コーヒーショップ、◇◇ファミリーレストランである情報閲覧店舗を登録した情報閲覧店舗データベース３２の例を図６として示す。これら一連の処理が情報仲介装置２４の情報閲覧店舗データ登録手段３１の動作である。
【００４７】
情報閲覧店舗データベースのフィールドとしては、他に、情報閲覧店舗の取り扱い商品情報、営業時間情報、近辺の建造物情報、交通機関情報、道路情報、近辺の飲食店情報、情報閲覧店舗が位置する市町村の人口情報、情報閲覧店舗が位置する市町村の年齢構成情報も考えられる。
【００４８】
この例では、情報仲介装置が自動的に識別ＩＤを発行する手段を記載しているが、第一の店舗が任意の識別ＩＤを通知し、情報仲介装置内にて未登録であれば、それを識別ＩＤとして発行する手段でも良い。
【００４９】
また、あらかじめ定めた期間、利用されていない識別ＩＤを無効とする機能も備えることもできる。
【００５０】
次に、情報仲介装置２４での商品取り扱い店舗データ登録手段３３の処理の流れを説明する。図７は、商品取り扱い店舗データ登録手段３３の処理の流れを示したフロー図である。
【００５１】
図７のステップＳ７０１は、商品取り扱い店舗データ登録手段３３が、商品取り扱い店舗２３からの店舗データ登録要求を受信するステップである。
【００５２】
ステップＳ７０２は、商品取り扱い店舗データ登録手段３３が、登録受付ページ情報を商品取り扱い店舗２３に送信するステップである。これにより、商品取り扱い店舗２３の端末にて、図８に一例を示すような登録受付ページが表示されることになる。
【００５３】
ステップＳ７０３は、商品取り扱い店舗２３の端末から返送されてくる、受付ページ内の必要事項を、商品取り扱い店舗データ登録手段３３が受け取り、データが適切なものか判断するステップである。データが適切なものであれば、ステップＳ７０５に移る。
【００５４】
ステップＳ７０５は、商品取り扱い店舗データ登録手段３３が、商品取り扱い店舗２３ごとのユニークな識別ＩＤを作成するステップである。
【００５５】
ステップＳ７０６は、商品取り扱い店舗データ登録手段３３が、受け付けた商品取り扱い店舗データ２３を商品取り扱い店舗データベース３５に格納するステップである。
【００５６】
ステップＳ７０７は、商品取り扱い店舗データ登録手段３３が、ステップＳ７０５で作成した識別ＩＤを商品取り扱い店舗２３に通知するステップである。
【００５７】
ステップＳ７０８は、商品取り扱い店舗データ登録手段３３が、商品取り扱い店舗２３への識別ＩＤ通知が正常に終了したかどうか判断するステップである。通知が正常に終了すれば、ステップＳ７０９に移る。
【００５８】
ステップＳ７０９は、商品取り扱い店舗データ登録手段３３が、登録受付終了を示すページ情報を商品取り扱い店舗２３の情報端末に送信し、登録処理を終了するステップである。
【００５９】
商品取り扱い店舗データベース３５は、識別ＩＤと、登録日時と、店舗名と、店舗住所と、インセンティブ支払い手段と、営業時間帯と、取り扱い商品分野をフィールドとして持つものとなる。商品取り扱い店舗名が、○○電気、△△洋服店である商品取り扱い店舗を登録した商品取り扱い店舗データベース３５の例を図９に示す。これら一連の処理が情報仲介装置２４の商品取り扱い店舗データ登録手段３３の動作となる。
【００６０】
次に、情報仲介装置２４の店舗データ送付手段３４の処理の流れを説明する。図１０は、店舗データ送付手段３４の処理の流れを示したフロー図である。
【００６１】
図１０のステップＳ１００１は、店舗データ送付手段３４が、商品取り扱い店舗２３からの、情報閲覧店舗データ取得要求を受信するステップである。取得要求内には、要求元である商品取り扱い店舗２３の識別ＩＤと、取得したい情報閲覧店舗データの識別ＩＤが含まれる。
【００６２】
ステップＳ１００２は、店舗データ送付手段３４が、情報閲覧店舗データの取得を要求してきた商品取り扱い店舗２３が適切なものかを、要求元の商品取り扱い店舗２３の識別ＩＤと、商品取り扱い店舗データベース３５に含まれるデータとを照会して調べるステップである。要求元の商品取り扱い店舗２３が適切なものであれば、ステップＳ１００３に移る。
【００６３】
ステップＳ１００３は、店舗データ送付手段３４が、受信した要求に含まれる情報閲覧店舗２１の識別ＩＤに対応する情報閲覧店舗の情報を、情報閲覧店舗データベース３２から取得するステップである。
【００６４】
ステップＳ１００４は、店舗データ送付手段３４が、要求元である商品取り扱い店舗２３に、情報閲覧店舗データベース３２から取得した情報閲覧店舗情報を送信するステップである。
【００６５】
これら一連の処理が情報仲介装置２４の店舗データ送付手段の動作となる。以上が、情報仲介装置２４内における処理の流れである。
【００６６】
情報仲介装置２４から商品取り扱い店舗２３に送付されるデータの一例を、図６を用いて述べると、商品取り扱い店舗２３からデータ取得要求のあった情報閲覧店舗の識別ＩＤが２００２１２１８００３４９８６７であった場合に、商品取り扱い店舗２３に送付されるデータは、”店舗名：○○ファーストフード、住所：〒２１１−００××  神奈川県川崎市高津区○○の○○、インセンティブ受け取り：○○銀行  口座○○○○○”となる。
【００６７】
次に、情報閲覧店舗２１が備える商品情報閲覧装置の構成と、処理の流れを、図面を参照しながら説明する。図１１は、商品情報閲覧装置１１１の構成を示したものである。
【００６８】
商品情報閲覧装置１１１は、インターネット２０を介して、情報仲介装置２４と、商品取り扱い店舗２３とのデータ送受信が可能となっている。
【００６９】
また、商品情報閲覧装置１１１は、閲覧店舗登録部１１３と、ＩＤ認証部１１５と、アカウントファイル１１６と、識別ＩＤ保存部１１７と、ＩＤ保存ファイル１１８と、ＵＲＬ・識別ＩＤ送信部１１９と、商品情報表示部１２０によって構成される。
【００７０】
閲覧店舗登録部１１３は、自店舗である商品情報閲覧店舗１１１の情報を、情報仲介装置２４に登録する働きを持つ。
【００７１】
ＩＤ認証部１１５は、利用者端末２２の利用者を、アカウントファイル１１６を使い認証する働きを持つ。
【００７２】
識別ＩＤ保存部１１７は、利用者の識別ＩＤをＩＤ保存ファイル１１８に保存する働きを持つ。これにより、現在、情報閲覧店舗２１が提供しているネットワークを利用している利用者が管理できる。
【００７３】
ＵＲＬ・識別ＩＤ送信部１１９は、利用者端末２２から入力されたＵＲＬ情報と情報閲覧店舗２１の識別ＩＤと、利用者の識別ＩＤを、商品取り扱い店舗２３に送信する働きを持つ。
【００７４】
商品情報表示部１２０は、商品取り扱い店舗利用者端末２２から入力されるＵＲＬ情報に対応する商品情報を、商品取り扱い店舗２３から受取り、利用者端末２２に送信する働きを持つ。
【００７５】
また、情報閲覧店舗２１内には、商品情報閲覧装置１１１の端末である装置管理者用端末１１２と、自店となる情報閲覧店舗の店舗ＩＤと、自店を利用する利用者のＩＤを発行する店舗識別ＩＤ・利用者識別ＩＤ発行機１１４が備えられている。
【００７６】
次に、商品情報閲覧装置１１１における処理の流れを説明する。まず、情報閲覧店舗２１のデータを情報仲介装置２４に登録する処理の流れを、フロー図である図１２を利用して説明する。なお、この処理は、図１１の閲覧店舗登録部１１３にて実施される。
【００７７】
図１２のステップＳ１２０１は、閲覧店舗登録部１１３が、商品情報閲覧装置１１１の装置管理者端末１１２から、情報閲覧店舗データの登録を情報仲介装置２４に要求するステップである。
【００７８】
ステップＳ１２０２は、情報仲介装置２４から返送される登録ページ情報を、閲覧店舗登録部１１３が受信するステップである。返送された登録ページの一例を図５に示す。
【００７９】
ステップＳ１２０３は、商品情報閲覧装置１１１の装置管理者が、自店舗のデータを情報仲介装置２４に登録するステップである。実際は、表示された登録ページ内に、データを入力して、データを送信することで実現できる。
【００８０】
ステップＳ１２０４は、情報仲介装置２４から、適切な店舗識別ＩＤが返送されてきたかどうかを、閲覧店舗登録部１１３が確認するステップである。もし、適切な店舗識別ＩＤが返送されれば、ステップＳ１２０５に移る。
【００８１】
ステップＳ１２０５は、閲覧店舗登録部１１３が、受信した店舗識別ＩＤを店舗識別ＩＤ・利用者識別ＩＤ発行機１１４の中に保存するステップである。これら一連の処理が情報閲覧店舗２１の店舗データを登録する処理となり、図１１の閲覧店舗登録部１１３に相当する。
【００８２】
次に、利用者が利用者端末２２を使い、情報閲覧店舗２１を介して、商品取り扱い店舗２３の商品情報を取得する処理の流れを説明する。図１３は、商品取り扱い店舗２３の情報を取得する処理をフローとして示したものである。
【００８３】
図１３のステップＳ１３０１は、情報閲覧店舗２１の利用者が、情報閲覧店舗識別ＩＤと利用者識別ＩＤを、情報閲覧店舗２１の店舗識別ＩＤ・利用者識別ＩＤ発行機１１４から取得するステップである。情報閲覧店舗識別ＩＤと利用者識別ＩＤの取得方法の一例としては、情報閲覧店舗２１の店舗識別ＩＤ・利用者識別ＩＤ発行機１１４から、情報閲覧店舗識別ＩＤと利用者識別ＩＤが登録されたカードが発行される形でも良いし、店舗識別ＩＤ・利用者識別ＩＤ発行機１１４で表示されたものを店員が利用者に伝えることでも良い。
【００８４】
なお、情報閲覧店舗識別ＩＤは、前記情報仲介装置２４から割り当てられたユニークな整数であり、利用者識別ＩＤの一例としては、過去に発行したことがないユニークな整数とする。勿論、英字が混じったものであっても良い。
【００８５】
ステップＳ１３０２は、利用者が、利用者端末２２から、インターネットを利用するために入力した利用者識別ＩＤが適切なものかを、ＩＤ認証部１１５が、アカウントファイル１１６を利用して認証するステップである。利用者識別ＩＤが適切であった場合はステップＳ１３０３に移る。
【００８６】
アカウントファイル１１６は、不当な利用者が、情報閲覧店舗２１の回線を不正に利用しようとしていないかをチェックするもので、現時点で、情報閲覧店舗２１でのインターネット接続環境の利用を許可された利用者の識別ＩＤの一覧が記載されたものとなっている。アカウントファイル１１６の一例を示したものが図１４となる。この内容は、新しく利用者識別ＩＤが発行されたときに追加され、不要になった利用者識別ＩＤを削除する処理を、商品情報閲覧装置１１１の管理者が実施する。
【００８７】
ステップＳ１３０３は、識別ＩＤ保存部１１７が、認証された利用者識別ＩＤをＩＤ保存ファイル１１８に記録するステップである。この処理にて、ＩＤ保存ファイル１１８は、現在、情報閲覧店舗２１を介して、インターネットを利用している利用者の識別ＩＤが含まれていることになる。
【００８８】
次のステップＳ１３０４は、ＵＲＬ・識別ＩＤ送信部１１９が、利用者が利用者端末２２から、閲覧したいホームページのＵＲＬを入力したかどうかを判別するステップである。ＵＲＬの入力があった場合にステップＳ１３０５に移る。
【００８９】
ステップＳ１３０５は、ＵＲＬ・識別ＩＤ送信部１１９が、ＩＤ保存ファイル１１８から当利用者の利用者識別ＩＤを取得するステップである。
【００９０】
ステップＳ１３０６は、ＵＲＬ・識別ＩＤ送信部１１９が、店舗識別ＩＤと利用者識別ＩＤとＵＲＬを、商品取り扱い店舗２３に送付するステップである。送信方法の一例としては、ＵＲＬに店舗識別ＩＤと利用者識別ＩＤを含めた形で、ＨＴＴＰプロトコルのＧＥＴコマンドを用いて、暗号化を実施した形での送信が好ましい。
【００９１】
ステップＳ１３０７は、商品情報表示部１２０が、商品取り扱い店舗２３から、ＵＲＬに対応する情報が返送されてきたものを受け取り、利用者端末２２に送信するステップである。
【００９２】
ステップＳ１３０８は、利用者端末２２より、ネットワークの利用を終了する命令が発信された場合に、ネットワーク接続を終了するステップである。これら一連の処理が情報閲覧店舗２１の商品情報閲覧装置１１１の処理の流れになる。
【００９３】
次に、商品取り扱い店舗２３が備える閲覧対応装置の構成と、処理の流れを、図面を参照しながら説明する。図１５は、閲覧対応装置の構成を示したものである。
【００９４】
図１５の商品取り扱い店舗２３の閲覧対応装置１５１は、インターネット２０を介して、情報閲覧店舗２１と、情報仲介装置２４とのデータ送受信が可能となっている。
【００９５】
閲覧対応装置１５１は、アクセス受信部１５２と、識別ＩＤ記録部１５３と、店舗情報取得部１５５と、商品情報送付部１５７と、商品情報サーバ１５８で構成されている。
【００９６】
アクセス受信部１５２は、情報閲覧店舗２１内の利用者からの商品情報閲覧要求を受け取る働きを持つ。識別ＩＤ記録部１５３は、利用者からの商品情報閲覧要求内に含まれた利用者識別ＩＤを記録する働きを持つ。店舗情報取得部１５５は、商品情報閲覧要求に含まれる情報閲覧店舗２１の識別ＩＤを使い、情報仲介装置２４から、情報閲覧店舗２１のデータを取得する働きを持つ。商品情報送付部１５７は、情報閲覧店舗２１の利用者からの商品情報閲覧要求に対応する商品情報を、商品情報サーバ１５８から取得し、要求元の情報閲覧店舗２１に送付する働きを持つ。
【００９７】
また、商品取り扱い店舗２３内には、利用者識別ＩＤが記録される場である利用者ＩＤファイル１５４と、情報閲覧店舗データを格納する場である閲覧情報データベース１５６と、閲覧対応装置１５１を操作するための装置用端末１５９が備えられている。
【００９８】
次に、商品取り扱い店舗２３内の閲覧対応装置１５１の処理の流れを説明する。図１６は、閲覧対応装置１５１の処理をフローとして示したものである。
【００９９】
図１６のステップＳ１６０１は、アクセス受信部１５２が、情報閲覧店舗２１から、商品情報の閲覧要求を受信するステップである。
【０１００】
ステップＳ１６０２は、アクセス受信部１５２が、情報閲覧店舗２１からの閲覧要求の中に、情報閲覧店舗識別ＩＤと利用者識別ＩＤが含まれているか調べるステップである。情報閲覧店舗識別ＩＤと利用者識別ＩＤが含まれていれば、ステップＳ１６０３に移る。
【０１０１】
ステップＳ１６０３は、識別ＩＤ記録部１５３が、利用者識別ＩＤおよびアクセス日時を利用者ＩＤ記録ファイルに記録するステップである。利用者ＩＤ記録ファイル１５４は、一行にアクセス日時と利用者識別ＩＤとが記録されている。図１９に、利用者ＩＤ記録ファイル１５４の一例を示す。
【０１０２】
ステップＳ１６０４は、店舗情報取得部１５５が、情報仲介装置２４にアクセスし、閲覧要求内に含まれている情報閲覧店舗識別ＩＤに対応する情報閲覧店舗２１のデータを取得するステップである。
【０１０３】
ステップＳ１６０５では、閲覧情報データベース１５６に、情報閲覧店舗２１の識別ＩＤに対応する閲覧店舗情報がすでに含まれているかどうかを、店舗情報取得部１５５が調べるステップである。もし、情報閲覧店舗識別ＩＤに対応する閲覧店舗情報が、閲覧情報データベース１５６に含まれていなければ、ステップＳ１６０６に移る。
【０１０４】
ステップＳ１６０６は、店舗情報取得部１５５が、インセンティブ設定画面の情報を、商品取り扱い店舗２３内の装置用端末１５９に送信するステップである。商品取り扱い店舗２３の装置用端末１５９には、図１８に一例を示すような、インセンティブ設定画面が表示されることになる。商品取り扱い店舗２３の店員がインセンティブを設定する。
【０１０５】
ステップＳ１６０７は、店舗情報取得部１５５が、商品取り扱い店舗２３の装置用端末１５９から送信されてきたインセンティブ情報と、ステップＳ１６０４で情報仲介装置２４から取得した店舗データと、アクセス日時を閲覧情報データベースに登録するステップである。
【０１０６】
閲覧情報データベース１５６は、フィールドとして、閲覧店舗識別ＩＤと、店舗名と、住所と、最も最近のアクセス日時と、アクセス回数と、利用者向けインセンティブ情報と、閲覧店舗向けインセンティブ情報と、閲覧店舗インセンティブ支払い先を持つものとする。閲覧情報データベース１５６の一例を図１７に示す。商品取り扱い店舗が備える、この閲覧情報データベースは、記載された情報閲覧店舗の位置情報を使って、位置情報に依存した、商品閲覧店舗が持つ商品の注目度を算出することや、また、情報閲覧店舗の店舗分野に依存した、商品閲覧店舗が持つ商品の注目度を算出することなどのマーケティングに利用することが可能である。
【０１０７】
ステップＳ１６０８は、ステップＳ１６０５にて、情報閲覧店舗２１の識別ＩＤが閲覧情報データベース１５６に存在していると判断されたときに移るもので、閲覧情報データベース１５６内のアクセス日時を更新するステップとなる。
【０１０８】
ステップＳ１６０９は、商品情報取得部１５７が、閲覧要求のあった商品情報データを、商品情報サーバ１５８から取得し、情報閲覧店舗２１に送信するステップである。これら一連の処理が商品取り扱い店舗２３の閲覧対応装置１５１の動作となる。
【０１０９】
次に、第一の実施形態における商品取り扱い店舗２３に、実際に利用者が情報閲覧店舗識別ＩＤと利用者識別ＩＤを持参し、閲覧した商品を購入する例を説明する。商品取り扱い店舗２３内の、インセンティブを付与するインセンティブ決済装置の構成と、処理の流れは以下のとおりとなる。図２０は、商品取り扱い店舗２３のインセンティブ決済装置２０１の構成を示す。
【０１１０】
図２０の商品取り扱い店舗２３のインセンティブ決済装置２０１内は、インターネット２０を介して、情報閲覧店舗２１とデータ送受信が可能となっている。
【０１１１】
また、インセンティブ決済装置２０１は、利用者識別部２０３と、インセンティブ計算部２０４と、インセンティブ付与部２０５により構成される。
【０１１２】
利用者識別部２０３は、商品取り扱い店舗２３に来店した利用者２５が持参する情報閲覧店舗識別ＩＤと利用者識別ＩＤが、適切なものかどうか、利用者ＩＤファイルを用いて調べる働きを持つ。インセンティブ計算部２０４は、閲覧情報データベース１５６の内容を使いインセンティブを計算する働きを持つ。インセンティブ付与部２０５は、実際に情報閲覧店舗２１にインセンティブを付与する働きを持つ。
【０１１３】
また、商品取り扱い店舗２３内には、利用者識別ＩＤを記録する利用者ＩＤファイル１５４と、情報閲覧店舗データを格納する閲覧情報データベース１５６が備えられている。
【０１１４】
次に、商品取り扱い店舗２３が備えるインセンティブ決済装置２０１の処理の流れを説明する。図２１は、インセンティブ決済装置２０１の処理をフローとして示したものである。
【０１１５】
図２１のステップ２１０２は、商品取り扱い店舗２３に来店した利用者が、商品を購入しようとした際に、情報閲覧店舗識別ＩＤと利用者識別ＩＤを持参しているかどうかを、利用者識別部２０３が調べるステップである。識別ＩＤを入力する方法は、利用者が持参した、情報閲覧店舗識別ＩＤと利用者識別ＩＤの情報が含まれたカードを、カードリーダで読み取る方法や、端末に情報閲覧店舗識別ＩＤと利用者識別ＩＤを、利用者が手入力してチェックする方法が考えられる。情報閲覧店舗識別ＩＤと利用者識別ＩＤを持参していた場合は、ステップＳ２１０２に移る。
【０１１６】
もし、利用者が情報閲覧店舗識別ＩＤと利用者識別ＩＤを持参していない場合は、事前に情報閲覧店舗２１を利用していない客と見做すことができる。
【０１１７】
ステップＳ２１０２は、利用者識別ＩＤが、利用者ＩＤファイル内に存在するかどうか、利用者識別部２０３が調べるステップである。このステップにて、利用者識別ＩＤで識別される利用者が、自店の商品情報を、事前に閲覧したかどうかが判別できる。利用者識別ＩＤが、利用者ＩＤファイル内に存在していた場合は、ステップＳ２１０３に移る。
【０１１８】
ステップＳ２１０３は、利用者が持参した情報閲覧店舗識別ＩＤを使い、閲覧情報データベース１５６から、情報閲覧店舗識別ＩＤに対応する情報閲覧店舗２１のデータを、インセンティブ計算部２０４が取得するステップである。
【０１１９】
次のステップＳ２１０４は、ステップＳ２１０３で取得した情報閲覧店舗２１のデータを使い、利用客向けのインセンティブと、情報閲覧店舗２１向けのインセンティブを、インセンティブ計算部２０４が計算するステップである。
【０１２０】
閲覧情報データベース１５６の一例である図１７を利用して、インセンティブ計算の一例を説明する。まず、利用者が情報閲覧店舗２１の識別ＩＤとして、２００２１２１８００３４９８６７を持参し、販売価格１万円の商品を商品取り扱い店舗２３で購入したとする。利用者に対するインセンティブは、閲覧情報データベース１５６の識別ＩＤ２００２１２１８００３４９８６７の内容に含まれている利用者向けインセンティブである１．００％を１万円に乗算し、１００円のインセンティブとなり、情報閲覧店舗２１向けとしては、情報閲覧店舗２１向けのインセンティブ０．３２％を販売価格１万円に乗算し、３２円のインセンティブとなる。
【０１２１】
次のステップＳ２１０５は、閲覧情報データベース１５６内にある、インセンティブ振込み先に、インセンティブ付与部２０５が、インセンティブを振り込むステップである。振込先は、識別ＩＤ２００２１２１８００３４９８６７の例では、「○○銀行  口座○○○○○」に相当する。この振込みは、月に一度など、定期的にまとめて実施してもかまわない。
【０１２２】
ステップＳ２１０６は、インセンティブ付与部２０５が、利用者ＩＤ記録ファイル１５４より、今回の利用者の識別ＩＤを削除するステップである。
【０１２３】
利用者ＩＤファイル１５４からの識別ＩＤの削除を、利用者ＩＤファイル１５４の一例を示した図１９を用いて説明すると、今回、商品を購入した利用者の利用者識別ＩＤが、９９５７６１９５４３２であった場合は、利用者識別ＩＤが９９５７６１９５４３２となっている行を削除する。
【０１２４】
ステップＳ２１０７は、利用者に対し、インセンティブに相当する金額を割り引いた料金の徴収を行うステップである。この処理は、店員が商品の清算時に、商品の金額から、インセンティブに相当した金額を割り引く手続きになる。これら一連の処理が第一の実施形態の実施例となる。
【０１２５】
＜第二の実施形態＞
第二の実施形態を、図面を参照しながら説明する。
【０１２６】
図２２に、第二の実施形態における商品取り扱い店舗２２０の閲覧対応装置２２１の構成を示す。また、図２４に第二の実施形態における商品取り扱い店舗２２０のインセンティブ決済装置２４１の構成を示す。第一の実施形態と異なる点は、商品取り扱い店舗２２０内にインセンティブ付与制限時間ファイル２３０が備わることである。インセンティブ付与制限時間２３０は、閲覧対応装置２２１およびインセンティブ決済装置２４１にて利用される。
【０１２７】
第二の実施形態における商品取り扱い店舗２２０の閲覧対応装置２２１の処理を、閲覧対応装置２２１のフロー図である図２３を用いて説明する。
【０１２８】
図２３のステップＳ２３０７までは、第一の実施形態の閲覧対応装置１５１の処理の流れを示す図１６のステップＳ１６０７までと同様になる。ステップＳ２３０８は、商品情報送付部２２９が、インセンティブ付与制限時間ファイル２３０から制限時間を取得するステップとなる。
【０１２９】
次のステップＳ２３０９は、商品情報送付部２２９が、情報閲覧店舗２２２から要求のあった商品情報に相当するデータを商品情報サーバ２７１から取得し、インセンティブ付与制限時間を使った制限時間と商品情報を、情報閲覧店舗２２２に送付するステップとなる。インセンティブ付与制限時間ファイル２３０の一例を図２７に示す。
【０１３０】
実際に、情報閲覧店舗２２２内の利用者端末に表示される、インセンティブ付与制限時間の記載が含まれた画面の一例を図２６に示す。この例では、２時間以内の来店で、インセンティブ付与に相当する割引が実施されることを、”○○レストランから当ページをご利用のみなさまへ”として利用者画面に表示していることがわかる。これは、自宅やオフィスなど、情報閲覧店舗２２２を介さない場所から、商品情報を閲覧した場合には表示されないものである。
【０１３１】
第二の実施形態における商品取り扱い店舗２２０のインセンティブ決済装置２４１の処理を、インセンティブ決済装置２４１のフロー図である図２５を用いて説明する。
【０１３２】
図２５のステップＳ２５０３までは、第一の実施形態のインセンティブ決済装置２０１の処理の流れを示す図２１のステップＳ２１０３までと同様になる。
【０１３３】
ステップＳ２５０４は、インセンティブ計算部２４４が、インセンティブ制限時間ファイル２３０より、インセンティブ付与制限時間を取得する。そして、閲覧情報データベース２２８内のアクセス日時と、現在の時刻を照合して、制限時間を越えているかどうか判断するステップである。制限時間を越えている場合はステップＳ２５０７に移る。ステップＳ２５０７は、インセンティブを０に設定するステップである。
【０１３４】
ステップＳ２５０５以降は、図２１のステップＳ２１０４以降と同様になる。これにより、商品情報を閲覧した時刻から、インセンティブ付与制限時間を越えた時刻に、商品を購入した場合は、インセンティブを付与しない機能が実現できる。なお、この例は、制限時間を越えた場合にインセンティブを付与しないものであるが、制限時間を越えた場合にインセンティブを少なくする、あるいは、段階的に増減させるという働きを持たせても良い。
【０１３５】
なお、情報仲介装置２２７の処理、情報閲覧店舗２２２内の閲覧店舗登録装置および商品情報閲覧装置の処理、商品取り扱い店舗２２０内の商品店舗登録装置の処理は、第一の実施形態と同様となる。
【０１３６】
＜第三の実施形態＞
第三の実施形態を、図面を参照しながら説明する。
【０１３７】
図２８にて、第三の実施形態における商品取り扱い店舗２８０のインセンティブ決済装置２８１の構成を示す。第一の実施形態と異なる点は、商品取り扱い店舗２８０内に、情報閲覧店舗別の購入回数を記録する閲覧店舗ログファイル２８７と、回数と追加インセンティブ分の対応が記載された追加インセンティブファイル２８８が更に備わっている点である。
【０１３８】
第三の実施形態における、商品取り扱い店舗２８０のインセンティブ決済装置１８１の処理の流れを、インセンティブ決済装置２８１のフロー図である図２９を用いて説明する。
【０１３９】
図２９のステップＳ２９０３までは、第一の実施形態のインセンティブ決済装置２０１の処理の流れを示す図２１のステップＳ２１０３までと同様になる。
【０１４０】
ステップＳ２９０４は、インセンティブ計算部２８５が、閲覧店舗ログファイル２８７内に情報閲覧店舗識別ＩＤが含まれているかどうかを調べるステップである。閲覧店舗ログファイル２８７には、以前に、当店舗の商品を購入した利用者が利用した情報閲覧店舗識別ＩＤと購入回数が記録されている。もし、閲覧店舗ログファイル２８７内に、今回の情報閲覧店舗２９０の識別ＩＤがあれば、閲覧店舗ログファイル２８７から店舗識別ＩＤに対応する購入回数を、インセンティブ計算部２８５が取得する。次に、ステップＳ２９０５に移る。
【０１４１】
ステップＳ２９０５は、インセンティブ計算部２８５が、購入回数に相当する、追加インセンティブを追加インセンティブファイル２８８から取得するステップである。
【０１４２】
ステップＳ２９０６は、閲覧店舗ログファイル２８７内の、今回の店舗識別ＩＤに相当する購入回数をインクリメントするステップである。
【０１４３】
ステップＳ２９１２は、ステップＳ２９０４にて、閲覧店舗ログファイル２８７内に、今回の情報閲覧店店舗２９０の識別ＩＤがない場合に実行されるステップである。このステップは、インセンティブ計算部２８５が、閲覧店舗識別ＩＤおよび購入回数１を閲覧店舗ログファイル２８７に登録し、追加インセンティブを０にする。
【０１４４】
ステップＳ２９０７は、ステップＳ２９０３で取得した情報閲覧店舗２９０のデータと、追加インセンティブを考慮し、情報閲覧店舗２９０向けのインセンティブを計算するステップである。
【０１４５】
ステップＳ２９０８以降は、第一の実施形態のインセンティブ決済装置２０１の処理の流れを示す図２１のステップＳ２１０５以降と同様になる。
【０１４６】
閲覧情報データベース２８６の一例を示す図１７と、閲覧店舗ログファイル２８７の一例である図３０と、追加インセンティブファイル２８８の一例である図３１を利用して、店舗識別ＩＤが２００２１２１８００３４９８６７であるときの、インセンティブ計算の一例を説明する。
【０１４７】
まず、利用者が情報閲覧店舗２９０の識別ＩＤと、利用者識別ＩＤを持参して、販売価格１万円の商品を、商品取り扱い店舗２８０で購入する。その際に、情報閲覧店舗２９０に対するインセンティブとしては、図１７の閲覧情報データベース２８６の店舗識別ＩＤ２００２１２１８００３４９８６７の内容に含まれている閲覧店舗向けインセンティブである０．３２％を取得する。そして、閲覧店舗ログファイル２８７から、閲覧店舗識別ＩＤを利用して、利用者が商品を購入した回数である１１０を取得する。次に、購入回数１１０に対応する追加インセンティブとして、図３１に示す追加インセンティブファイル２８８から＋０．２０％を取得する。
【０１４８】
図１７の閲覧情報データベース２８６から取得したインセンティブ０．３２％と、追加インセンティブ＋０．２０％を加算した０．５５％が、今回の情報閲覧店舗２９０に対するインセンティブとし、０．５５％を１万円に乗算した５５円が実際のインセンティブとなる。利用者へのインセンティブ付与方法は、第一の実施形態と同様になる。
【０１４９】
また、情報仲介装置の処理と、情報閲覧店舗２９０内の閲覧店舗登録装置ならびに商品情報閲覧装置の処理と、商品取り扱い店舗２８０内の商品店舗登録装置ならびに商品閲覧対応装置の処理は、第一の実施形態と同様になる。これら一連の処理が第三の実施形態となる。
【０１５０】
なお、第一の実施形態、第二の実施形態、および、第三の実施形態では、商品購入者が、情報閲覧店舗を介して商品情報を閲覧した後、実際に商品取り扱い店舗に出向き、購入者自身のＩＤと、情報閲覧店舗ＩＤを提示する例を記載しているが、情報閲覧店舗ＩＤのみを提示し、商品取り扱い店舗が、情報閲覧店舗ごとの閲覧回数を管理して、その閲覧回数と購入者が持ち寄った情報閲覧店舗ＩＤとを照合することでも、実現は可能である。
【０１５１】
また、第一の実施形態、第二の実施形態、および、第三の実施形態では、商品購入者が、情報閲覧店舗を介して商品情報を閲覧した後、実際に商品取り扱い店舗に出向いて商品を購入する例を記載しているが、インターネット通信販売で実施されているように、商品情報をインターネット上で閲覧し、そのまま、購入注文を出した際に、インセンティブが商品取り扱い店舗から、情報閲覧店舗に送付され、商品が利用者に配送される仕組みでも良い。
【０１５２】
第一の実施形態、第二の実施形態、および、第三の実施形態のいずれかを機能させるプログラムを、おのおのの情報装置にインストールして、情報機器を機能させることによっても実現は可能である。
【０１５３】
図３２では、情報仲介装置３２１と、情報閲覧店舗３２２の商品情報閲覧装置と、商品取り扱い店舗３２３の閲覧対応装置およびインセンティブ決済装置に、前記の手段を持ち合わせるプログラムを格納した記録媒体３２４をインストールする例を示している。
（付記１）
ネットワークへの接続環境を利用者に提供する第一の店舗用の第一の情報処理装置と、商品あるいはサービスを利用者に提供する第二の店舗用の第二の情報処理装置と、ネットワークを介して第一の情報処理装置および第二の情報処理装置とデータ通信可能に接続された第三の情報処理装置から構成される閲覧店舗管理システムにおける閲覧店舗管理方法であって、
第三の情報処理装置は、
第一の店舗を識別する識別ＩＤと、前記第一の店舗に関する情報とを対応づけて記憶し、
第一の情報処理装置は、
第一の店舗内の端末が、ネットワークを介して、第二の店舗が提供する商品あるいはサービスの情報を閲覧する際に、第一の店舗に割り当てられた識別ＩＤを、第二の情報処理装置に通知し、
第二の情報処理装置は、
第一の情報処理装置から通知された識別ＩＤにより、第三の情報処理装置から、第一の店舗の情報を取得することを特徴とする閲覧店舗管理方法。
（付記２）
ネットワークへの接続環境を利用者に提供する第一の店舗用の第一の情報処理装置と、商品あるいはサービスを利用者に提供する第二の店舗用の第二の情報処理装置と、ネットワークを介して第一の情報処理装置および第二の情報処理装置とデータ通信可能に接続された第三の情報処理装置から構成される閲覧店舗管理システムであって、
第三の情報処理装置は、
第一の店舗を識別する識別ＩＤと、前記第一の店舗に関する情報とを対応づけて記憶する手段と、
第一の情報処理装置は、
第一の店舗内の端末が、ネットワークを介して、第二の店舗が提供する商品あるいはサービスの情報を閲覧する際に、第一の店舗に割り当てられた識別ＩＤを、第二の情報処理装置に通知する手段と、
第二の情報処理装置は、
第一の情報処理装置から通知された識別ＩＤにより、第三の情報処理装置から、第一の店舗の情報を取得する手段から構成される閲覧店舗管理システム。
（付記３）
ネットワークへの接続環境を利用者に提供する第一の店舗用の第一の情報処理装置と、商品あるいはサービスを利用者に提供する第二の店舗用の第二の情報処理装置と、ネットワークを介して第一の情報処理装置および第二の情報処理装置とデータ通信可能に接続された第三の情報処理装置から構成される閲覧店舗管理システムに用いられる第三の情報処理装置は、
第一の店舗を識別する識別ＩＤと、前記第一の店舗に関する情報とを対応づけて記憶する手段を持つことを特徴とする情報処理装置。
（付記４）
請求項３に記載の情報処理装置において、
第一の店舗の店舗情報は、少なくとも、第一の店舗の所在地情報を含むことを特徴とする情報処理装置。
（付記５）
請求項３に記載の情報処理装置において、
第一の店舗の店舗情報は、少なくとも、第一の店舗の所在地情報と、店舗業種情報を含むことを特徴とする情報処理装置。
（付記６）
ネットワークへの接続環境を利用者に提供する第一の店舗用の第一の情報処理装置と、商品あるいはサービスを利用者に提供する第二の店舗用の第二の情報処理装置と、ネットワークを介して第一の情報処理装置および第二の情報処理装置とデータ通信可能に接続された第三の情報処理装置から構成される閲覧店舗管理システムに用いられる第二の情報処理装置は、
第一の店舗を識別する識別ＩＤを利用して、第三の情報処理装置から第一の店舗情報を獲得する手段と、
第一の店舗ごとに付与するインセンティブの大きさを算出する手段を備える情報処理装置。
（付記７）
ネットワークへの接続環境を利用者に提供する第一の店舗用の第一のコンピュータと、商品あるいはサービスを利用者に提供する第二の店舗用の第二のコンピュータと、ネットワークを介して第一のコンピュータおよび第二のコンピュータとデータ通信可能に接続された第三のコンピュータから構成される閲覧店舗管理システムであって、
第三のコンピュータを、
第一の店舗を識別する識別ＩＤと、前記第一の店舗に関する情報とを対応づけて記憶する手段として機能させることを特徴とした閲覧店舗管理プログラム。
（付記８）
ネットワークへの接続環境を利用者に提供する第一の店舗用の第一のコンピュータと、商品あるいはサービスを利用者に提供する第二の店舗用の第二のコンピュータと、ネットワークを介して第一のコンピュータおよび第二のコンピュータとデータ通信可能に接続された第三のコンピュータから構成される閲覧店舗管理システムであって、
第一のコンピュータを、
第一の店舗内の端末が、ネットワークを介して、第二の店舗が提供する商品あるいはサービスの情報を閲覧する際に、第一の店舗に割り当てられた識別ＩＤを、第二のコンピュータに通知する手段として機能させることを特徴とした閲覧店舗管理プログラム。
（付記９）
ネットワークへの接続環境を利用者に提供する第一の店舗用の第一のコンピュータと、商品あるいはサービスを利用者に提供する第二の店舗用の第二のコンピュータと、ネットワークを介して第一のコンピュータおよび第二のコンピュータとデータ通信可能に接続された第三のコンピュータから構成される閲覧店舗管理システムであって、
第二のコンピュータを、
第一のコンピュータから通知された識別ＩＤにより、第三のコンピュータから、第一の店舗の情報を取得する手段として機能させることを特徴とした閲覧店舗管理プログラム。
（付記１０）
ネットワークへの接続環境を利用者に提供する第一の店舗用の第一のコンピュータと、商品あるいはサービスを利用者に提供する第二の店舗用の第二のコンピュータと、ネットワークを介して第一のコンピュータおよび第二のコンピュータとデータ通信可能に接続された第三のコンピュータから構成される閲覧店舗管理システムに用いられる第三のコンピュータを、
第一の店舗を識別する識別ＩＤと、前記第一の店舗に関する情報とを対応づけて記憶する手段として機能させることを特徴とする閲覧店舗管理プログラム。
（付記１１）
付記１０に記載の第三のコンピュータを、
第一の店舗の店舗情報は、少なくとも、第一の店舗の所在地情報を含むことを特徴とする閲覧店舗管理プログラム。
（付記１２）
付記１０に記載の第三のコンピュータを、
第一の店舗の店舗情報は、少なくとも、第一の店舗の所在地情報と、店舗業種情報を含むことを特徴とする閲覧店舗管理プログラム。
（付記１３）
ネットワークへの接続環境を利用者に提供する第一の店舗用の第一のコンピュータと、商品あるいはサービスを利用者に提供する第二の店舗用の第二のコンピュータと、ネットワークを介して第一のコンピュータおよび第二のコンピュータとデータ通信可能に接続された第三のコンピュータから構成される閲覧店舗管理システムに用いられる第二のコンピュータを、
第一の店舗を識別する識別ＩＤを利用して、第三のコンピュータから第一の店舗情報を獲得する手段と、
第一の店舗ごとに付与するインセンティブの大きさを算出する手段として機能させることを特徴とした閲覧店舗管理プログラム。
（付記１４）
ネットワークへの接続環境を利用者に提供する第一の店舗用の第一のコンピュータと、商品あるいはサービスを利用者に提供する第二の店舗用の第二のコンピュータと、ネットワークを介して第一のコンピュータおよび第二のコンピュータとデータ通信可能に接続された第三のコンピュータから構成される閲覧店舗管理システムであって、
第三のコンピュータを、
第一の店舗を識別する識別ＩＤと、前記第一の店舗に関する情報とを対応づけて記憶する手段として機能させる閲覧店舗管理プログラムを記録したことを特徴とするコンピュータ読み取り可能な記録媒体。
（付記１５）
ネットワークへの接続環境を利用者に提供する第一の店舗用の第一のコンピュータと、商品あるいはサービスを利用者に提供する第二の店舗用の第二のコンピュータと、ネットワークを介して第一のコンピュータおよび第二のコンピュータとデータ通信可能に接続された第三のコンピュータから構成される閲覧店舗管理システムであって、
第一のコンピュータを、
第一の店舗内の端末が、ネットワークを介して、第二の店舗が提供する商品あるいはサービスの情報を閲覧する際に、第一の店舗に割り当てられた識別ＩＤを、第二のコンピュータに通知する手段として機能させる閲覧店舗管理プログラムを記録したことを特徴とするコンピュータ読み取り可能な記録媒体。
（付記１６）
ネットワークへの接続環境を利用者に提供する第一の店舗用の第一のコンピュータと、商品あるいはサービスを利用者に提供する第二の店舗用の第二のコンピュータと、ネットワークを介して第一のコンピュータおよび第二のコンピュータとデータ通信可能に接続された第三のコンピュータから構成される閲覧店舗管理システムであって、
第二のコンピュータを、
第一のコンピュータから通知された識別ＩＤにより、第三のコンピュータから、第一の店舗の情報を取得する手段として機能させる閲覧店舗管理プログラムを記録したことを特徴とするコンピュータ読み取り可能な記録媒体。
（付記１７）
ネットワークへの接続環境を利用者に提供する第一の店舗用の第一のコンピュータと、商品あるいはサービスを利用者に提供する第二の店舗用の第二のコンピュータと、ネットワークを介して第一のコンピュータおよび第二のコンピュータとデータ通信可能に接続された第三のコンピュータから構成される閲覧店舗管理システムに用いられる第三のコンピュータを、
第一の店舗を識別する識別ＩＤと、前記第一の店舗に関する情報とを対応づけて記憶する手段として機能させる閲覧店舗管理プログラムを記録したことを特徴とするコンピュータ読み取り可能な記録媒体。
（付記１８）
付記１０に記載の第三のコンピュータを、
第一の店舗の店舗情報は、少なくとも、第一の店舗の所在地情報を含むことを特徴とする閲覧店舗管理プログラムを記録したことを特徴とするコンピュータ読み取り可能な記録媒体。
（付記１９）
請求項１０に記載の第三のコンピュータを、
第一の店舗の店舗情報は、少なくとも、第一の店舗の所在地情報と、店舗業種情報を含む閲覧店舗管理プログラムを記録したことを特徴とするコンピュータ読み取り可能な記録媒体。
（付記２０）
ネットワークへの接続環境を利用者に提供する第一の店舗用の第一のコンピュータと、商品あるいはサービスを利用者に提供する第二の店舗用の第二のコンピュータと、ネットワークを介して第一のコンピュータおよび第二のコンピュータとデータ通信可能に接続された第三のコンピュータから構成される閲覧店舗管理システムに用いられる第二のコンピュータを、
第一の店舗を識別する識別ＩＤを利用して、第三のコンピュータから第一の店舗情報を獲得する手段と、
第一の店舗ごとに付与するインセンティブの大きさを算出する手段として機能させる閲覧店舗管理プログラムを記録したことを特徴とするコンピュータ読み取り可能な記録媒体。
【０１５４】
【発明の効果】
本発明を用いることで、商品情報を公開している店舗は、ウェブサーバが持つアクセスログを使って、アクセス解析を実施するよりも、確実に、ホットスポットやインターネットカフェのようなインターネット環境提供店舗のアクセス状況を蓄積できる。また、インターネット環境が提供されている店舗の位置情報、分野情報、アクセス頻度も同時に入手できることで、マーケティング材料として活用できる効果も得られる。
【図面の簡単な説明】
【図１】第一の実施形態におけるネットワーク接続形態を示す概略図
【図２】第一の実施形態の全体構成を示した図
【図３】第一の実施形態における装置の構成を示した図
【図４】第一の実施形態における、情報仲介装置の情報閲覧店舗データ登録手段の処理の流れを示すフローチャート
【図５】第一の実施形態の情報閲覧店舗登録ページの一例を示した図
【図６】第一の実施形態の情報閲覧店舗データベースの一例を示した図
【図７】第一の実施形態の情報仲介装置の商品取り扱い店舗データ登録手段の処理の流れを示すフローチャート
【図８】第一の実施形態の商品取り扱い店舗登録ページの一例を示した図
【図９】第一の実施形態の商品取り扱い店舗データベースの一例を示した図
【図１０】第一の実施形態における、情報仲介装置の店舗データ送付手段の処理の流れを示すフローチャート
【図１１】第一の実施形態における、情報閲覧店舗の商品情報閲覧装置の構成を示した図
【図１２】第一の実施形態における、情報閲覧店舗の商品情報閲覧装置の閲覧店舗登録部の処理の流れを示すフローチャート
【図１３】第一の実施形態における、情報閲覧店舗の商品情報閲覧装置の商品情報閲覧における処理の流れを示すフローチャート
【図１４】第一の実施形態のアカウントファイルの一例を示した図
【図１５】第一の実施形態における、商品取り扱い店舗の閲覧対応装置の構成を示した図
【図１６】第一の実施形態における、商品取り扱い店舗の閲覧対応装置の処理の流れを示すフローチャート
【図１７】第一の実施形態における、商品取り扱い店舗が持つ閲覧情報データベースの一例を示した図
【図１８】第一の実施形態における、インセンティブ設定画面の一例を示した図
【図１９】第一の実施形態における、商品取り扱い店舗の利用者ＩＤファイルの一例を示す図
【図２０】第一の実施形態における、商品取り扱い店舗のインセンティブ決済装置の構成を示す図
【図２１】第一の実施形態における、商品取り扱い店舗のインセンティブ決済装置の処理の流れを示すフローチャート
【図２２】第二の実施形態における、商品取り扱い店舗の閲覧対応装置の構成を示す図
【図２３】第二の実施形態における、商品取り扱い店舗の閲覧対応装置の処理の流れを示すフローチャート
【図２４】第二の実施形態における、商品取り扱い店舗のインセンティブ決済装置の構成を示す図
【図２５】第二の実施形態における、商品取り扱い店舗のインセンティブ決済装置の処理の流れを示すフローチャート
【図２６】第二の実施形態における、情報閲覧店舗利用者に表示される商品情報ページの一例を示す図
【図２７】第二の実施形態における、インセンティブ制限時間ファイルの一例を示す図
【図２８】第三の実施形態における、商品取り扱い店舗のインセンティブ決済装置の構成を示す図
【図２９】第三の実施形態における、商品取り扱い店舗のインセンティブ決済装置の処理の流れを示す図
【図３０】第三の実施形態における、閲覧店舗ログファイルの一例を示す図
【図３１】第三の実施形態における、追加インセンティブファイルの一例を示す図
【図３２】記録媒体を情報装置にインストールする一例を示した図
【符号の説明】
２０、２３１、２９１、３２０  インターネット
２１、２２２、２９０、３２２  情報閲覧店舗
２２  利用者端末
２３、２２０、２８０、３２３  商品取り扱い店舗
２４、２２７、３２１  情報仲介装置
３１  情報閲覧店舗データ登録手段
３２  情報閲覧店舗データベース
３３  商品取り扱い店舗データ登録手段
３４  店舗データ送付手段
３５  商品取り扱い店舗データベース
１１１  商品情報閲覧装置
１１２  商品情報閲覧装置の装置管理者用端末
１１３  閲覧店舗登録部
１１４  店舗ＩＤ・利用者ＩＤ発行機
１１５  ＩＤ認証部
１１６  アカウントファイル
１１７  識別ＩＤ保存部
１１８  利用者ＩＤ保存ファイル
１１９  ＵＲＬ・識別ＩＤ送信部
１２０  商品情報表示部
１５１、２２１  閲覧対応装置
１５２、２２３  アクセス受信部
１５３、２２４  識別ＩＤ記録部
１５４、２２５、２８４  利用者ＩＤファイル
１５５、２２６  店舗情報取得部
１５６、２２８、２８６  閲覧情報データベース
１５７、２２９  商品情報送付部
１５８、２３１  商品情報サーバ
１５９、２３２  閲覧対応装置の装置管理者用端末
２０１、２４１、２８１  インセンティブ決済装置
２５、２４２、２８２  利用者
２０３、２４３、２８３  利用者識別部
２０４、２４４、２８５  インセンティブ計算部
２０５、２４５、２８９  インセンティブ付与部
２３０  インセンティブ制限時間ファイル
２８７  閲覧店舗ログファイル
２８８  追加インセンティブファイル
３２４  記録媒体
【図１】
2004240919.tif 000003
【図２】
2004240919.tif 000004
【図３】
2004240919.tif 000005
【図４】
2004240919.tif 000006
【図５】
2004240919.tif 000007
【図６】
2004240919.tif 000008
【図７】
2004240919.tif 000009
【図８】
2004240919.tif 000010
【図９】
2004240919.tif 000011
【図１０】
2004240919.tif 000012
【図１１】
2004240919.tif 000013
【図１２】
2004240919.tif 000014
【図１３】
2004240919.tif 000015
【図１４】
2004240919.tif 000016
【図１５】
2004240919.tif 000017
【図１６】
2004240919.tif 000018
【図１７】
2004240919.tif 000019
【図１８】
2004240919.tif 000020
【図１９】
2004240919.tif 000021
【図２０】
2004240919.tif 000022
【図２１】
2004240919.tif 000023
【図２２】
2004240919.tif 000024
【図２３】
2004240919.tif 000025
【図２４】
2004240919.tif 000026
【図２５】
2004240919.tif 000027
【図２６】
2004240919.tif 000028
【図２７】
2004240919.tif 000029
【図２８】
2004240919.tif 000030
【図２９】
2004240919.tif 000031
【図３０】
2004240919.tif 000032
【図３１】
2004240919.tif 000033
【図３２】
2004240919.tif 000034